(57)【要約】【課題】  部品点数が少なくても十分に管路を保持することができ、さらに長手方向のほぼ同じ位置で多段支持が可能な管支持具とそれを用いた管支持構造を提供する。【解決手段】  管支持具１は、本体部２と、本体部２の上側に配置された管路の半周を超えて支持し内周面３ａが実質的に円弧状の上側支持部３と、本体部２の下側に配置された管路の半周を超えて支持し内周面４ａが実質的に円弧状の下側支持部４とを備え、上側支持部３および下側支持部４は、管支持具を複数段に重ねた際に管路を支持した状態で相互に嵌合するように構成される。また、この管支持具は、隣接した管支持具同士を連結する連結部を備えていてもよく、上側支持部または下側支持部のうち少なくとも一方の先端に平面部を備えていてもよい。また、この管支持具１を用いて、部品点数が少なく管路を安定して支持できる管支持構造を好適に構成することができる。【選択図】  図１
2005069359.tif 000002
【特許請求の範囲】
【請求項１】
複数の管路を複数段に重ねて支持する管支持具において、
該管支持具は、本体部と、該本体部の上側に配置された管路の半周を超えて支持し内周面が実質的に円弧状の上側支持部と、該本体部の下側に配置された管路の半周を超えて支持し内周面が実質的に円弧状の下側支持部とを備え、
前記上側支持部および前記下側支持部は、前記管路を支持した状態で前記管路の長手方向の略同一の位置で上下方向に隣接する管支持具と重なり合うように構成されている
ことを特徴とする管支持具。
【請求項２】
前記上側支持部および前記下側支持部は、前記管路を支持した状態で相互に嵌合するように構成されていることを特徴とする、請求項１記載の管支持具。
【請求項３】
前記管路を支持した状態で、前記上側支持部または前記下側支持部の外周面と、上下方向に隣接する管支持具の対向側の支持部の内周面とが重なり合うように構成されていることを特徴とする、請求項１記載の管支持具。
【請求項４】
前記上側支持部または前記下側支持部の一方は、前記管路の溝部に挿入可能となるように構成されていることを特徴とする、請求項１〜請求項３記載の管支持具。
【請求項５】
前記本体部は、前記管路を支持した状態で隣接する管支持具同士を一体的に結合するための結合部を備えていることを特徴とする、請求項１〜請求項４記載の管支持具。
【請求項６】
前記上側支持部または前記下側支持部のうち少なくとも一方の先端部には、前記管路を支持した状態でほぼ水平面となる平面部が形成されていることを特徴とする、請求項１〜請求項５記載の管支持具。
【請求項７】
管支持具を複数段に重ねて複数の管路を支持してなる管支持構造において、
前記管支持具は、本体部と、該本体部の上側に配置された管路の半周を超えて支持し内周面が実質的に円弧状の上側支持部と、該本体部の下側に配置された管路の半周を超えて支持し内周面が実質的に円弧状の下側支持部とを備え、
前記複数段に重ねた管支持具は、前記管路を支持した状態で、上側に位置した管支持具の下側支持部と下側に位置した管支持具の上側支持部とが前記管路の長手方向の略同一の位置で重なり合っている
ことを特徴とする管支持構造。
【請求項８】
前記複数段に重ねた管支持具は、前記管路を支持した状態で、上側に位置した管支持具の下側支持部と下側に位置した管支持具の上側支持部とが嵌合状態となっていることを特徴とする、請求項７記載の管支持構造。
【請求項９】
前記複数段に重ねた管支持具は、前記管路を支持した状態で、上側に位置した管支持具の下側支持部と下側に位置した管支持具の上側支持部とが、一方の外周面と他方の内周面とが重なり合うように配置されていることを特徴とする、請求項７記載の管支持構造。
【請求項１０】
前記複数段に重ねた管支持具は、前記管路を支持した状態で、前記上側支持部または前記下側支持部の一方が前記管路の溝部に挿入されていることを特徴とする、請求項７〜請求項９記載の管支持構造。
【請求項１１】
隣接する前記管支持具同士が結合部により連結されていることを特徴とする、請求項７〜請求項１０記載の管支持構造。
【請求項１２】
前記管支持具の前記上側支持部または前記下側支持部のうち少なくとも一方の先端部には、前記管路を支持した状態でほぼ水平面となる平面部が形成されていることを特徴とする、請求項７〜請求項１１記載の管支持構造。
【発明の詳細な説明】
【技術分野】
【０００１】
本発明は、複数の管路を複数段に重ねて支持する管支持具およびそれを用いた管支持構造に関する。
【背景技術】
【０００２】
電線・ケーブルが収容される電線管や、水道管、ガス管などの管路を、複数段に重ねて支持するために、管支持具が好適に用いられる。また、管支持具で複数段に重ねて支持された管支持構造は、例えば地面に掘られた埋設溝内に管路を多数配管する際などに一般的に用いられている。
【０００３】
従来の管支持具として、管支持部が半円状の半割部材を重ねて用いるもの（特許文献１参照）、本体と上段側保持部と下段側保持部とを備えたもの（特許文献２参照）、管支持部が管路の半周以上を支持するもの（特許文献３参照）などが知られている。
【０００４】
【特許文献１】特開２００３−２８３４５号公報
【特許文献２】特開２００２−１９５４５８号公報
【特許文献３】特開２０００−２０５４５４号公報
【発明の開示】
【発明が解決しようとする課題】
【０００５】
ところで、特許文献１に記載された管支持具は、管路を十分に固定することができるが、部品点数が多くなるという課題がある。また、特許文献２に記載された管支持具は、上段側支持部が十分な深さをもっていないため、管路が管支持具から脱落するおそれがあるという課題がある。また、特許文献３に記載された管支持具は、管路を十分に固定することができるが、管路の長手方向に管支持具をずらさない限り３段以上の多段支持をすることができないという課題がある。
【０００６】
そこで、本発明は、部品点数が少なくても十分に管路を保持することができ、さらに長手方向のほぼ同じ位置で多段支持が可能な管支持具とそれを用いた管支持構造を提供することを目的とする。
【課題を解決するための手段】
【０００７】
請求項１の発明は、複数の管路を複数段に重ねて支持する管支持具において、該管支持具は、本体部と、該本体部の上側に配置された管路の半周を超えて支持し内周面が実質的に円弧状の上側支持部と、該本体部の下側に配置された管路の半周を超えて支持し内周面が実質的に円弧状の下側支持部とを備え、前記上側支持部および前記下側支持部は、前記管路を支持した状態で前記管路の長手方向の略同一の位置で上下方向に隣接する管支持具と重なり合うように構成されていることを特徴とする。
【０００８】
請求項２の発明は、請求項１の発明において、前記上側支持部および前記下側支持部は、前記管路を支持した状態で上下方向に隣接する管支持具と相互に嵌合するように構成されていることを特徴とする。
【０００９】
請求項３の発明は、請求項１の発明において、前記管路を支持した状態で、前記上側支持部または前記下側支持部の外周面と、上下方向に隣接する管支持具の対向側の支持部の内周面とが重なり合うように構成されていることを特徴とする。
【００１０】
請求項４の発明は、請求項１〜請求項３の発明において、前記上側支持部または前記下側支持部の一方は、前記管路の溝部に挿入可能となるように構成されていることを特徴とする。
【００１１】
請求項５の発明は、請求項１〜請求項４の発明において、前記本体部は、前記管路を支持した状態で隣接する管支持具同士を一体的に結合するための結合部を備えていることを特徴とする。
【００１２】
請求項６の発明は、請求項１〜請求項５の発明において、前記上側支持部または前記下側支持部のうち少なくとも一方の先端部には、前記管路を支持した状態でほぼ水平面となる平面部が形成されていることを特徴とする。
【００１３】
請求項７の発明は、管支持具を複数段に重ねて複数の管路を支持してなる管支持構造において、前記管支持具は、本体部と、該本体部の上側に配置された管路の半周を超えて支持し内周面が実質的に円弧状の上側支持部と、該本体部の下側に配置された管路の半周を超えて支持し内周面が実質的に円弧状の下側支持部とを備え、前記複数段に重ねた管支持具は、前記管路を支持した状態で、上側に位置した管支持具の下側支持部と下側に位置した管支持具の上側支持部とが前記管路の長手方向の略同一の位置で重なり合っていることを特徴とする。
【００１４】
請求項８の発明は、請求項７の発明において、前記複数段に重ねた管支持具は、前記管路を支持した状態で、上側に位置した管支持具の下側支持部と下側に位置した管支持具の上側支持部とが嵌合状態となっていることを特徴とする。
【００１５】
請求項９の発明は、請求項７の発明において、前記複数段に重ねた管支持具は、前記管路を支持した状態で、上側に位置した管支持具の下側支持部と下側に位置した管支持具の上側支持部とが、一方の外周面と他方の内周面とが重なり合うように配置されていることを特徴とする。
【００１６】
請求項１０の発明は、請求項７〜請求項９の発明において、前記複数段に重ねた管支持具は、前記管路を支持した状態で、前記上側支持部または前記下側支持部の一方が前記管路の溝部に挿入されていることを特徴とする。
【００１７】
請求項１１の発明は、請求項７〜請求項１０の発明において、隣接する前記管支持具同士が結合部により連結されていることを特徴とする。
【００１８】
請求項１２の発明は、請求項７〜請求項１１の発明において、前記管支持具の前記上側支持部または前記下側支持部のうち少なくとも一方の先端部には、前記管路を支持した状態でほぼ水平面となる平面部が形成されていることを特徴とする。
【発明の効果】
【００１９】
本発明の管支持具によれば、本体部と、管路の半周を超えて支持し内周面が実質的に円弧状の上側支持部と、管路の半周を超えて支持し内周面が実質的に円弧状の下側支持部とを備え、前記上側支持部および前記下側支持部は、前記管路を支持した状態で前記管路の長手方向の略同一の位置で上下方向に隣接する管支持具と重なり合うように構成されているため、部品点数を最小限にしつつ、管路の長手方向のほぼ同じ位置で多段支持が可能となり、管路を十分に支持でき、かつ作業性に優れた管支持具となる。
【００２０】
また、本発明の管支持構造によれば、上述の管支持具を用いて構成されるため、管路の長手方向のほぼ同じ位置で管支持具を重ねて多段支持が可能となり、管路が十分に支持され、かつ管支持構造を形成する際の作業性がきわめて高い管支持構造となる。
【発明を実施するための最良の形態】
【００２１】
本発明の実施の形態を、図面を用いて説明する。
【００２２】
まず、本発明の実施形態である管支持具の第１例について説明する。図１は、本発明の実施形態である管支持具の第１例を示す概略説明図であって、（イ）は正面図、（ロ）は側面図をそれぞれ示す。
【００２３】
図１において、管支持具１は、本体部１１と、本体部１１の上側に配置された上側支持部１２と、本体部１１の下側に配置された下側支持部１３とを備えている。上側支持部１２および下側支持部１３は、ともに管路の半周を超えて支持し、上側支持部１２の内周面１２ａおよび下側支持部１３の内周面１３ａは実質的に円弧状となっている。
【００２４】
さらに、上側支持部１２および下側支持部１３は、管支持具１を複数段に重ねた際に、管路を支持した状態で上下方向に隣接する管支持具と相互に嵌合するように構成されている。具体的には、図１に示されるように、下側支持部１３に切り欠き部１３ｂが形成されることなどにより、上側支持部１２の形状と下側支持部１３の形状とが相互に嵌合可能となっている構造などが挙げられる。
【００２５】
また、図１において、本体部１１には、隣接する管支持具同士を一体的に結合するための結合部として、突起部１４および凹部１５が設けられている。突起部１４は隣接する管支持具の凹部と結合し、凹部１５は隣接する管支持具の突起部と結合することにより、複数列の管路を同時に支持することが可能となる。
【００２６】
この管支持具１を管路に装着する場合には、上側支持部１２や下側支持部１３の先端を一時的に拡張して管路を通過させ、その後弾性によりもとの形状に復帰するため、管路を十分に支持できるようになっている。なお、上側支持部１２および下側支持部１３に適度な弾性を付与する観点から、管支持具１のうち少なくとも上側支持部１２および下側支持部１３は合成樹脂などで構成されることが望ましい。
【００２７】
また、上述の管支持具１は、複数段に重ねて使用することができる。図２は、第１例の管支持具を複数段に重ねた状態の一例を示す概略説明図であって、（イ）は正面図、（ロ）は側面図をそれぞれ示す。図２は、上側の管支持具１０と下側の管支持具２０とを重ねた状態を示しており、上側の管支持具１０および下側の管支持具２０の形状は、図１に示された管支持具１の形状と同様である。なお、上側の管支持具１０の形状と下側の管支持具２０の形状とは一致している必要はない。
【００２８】
ここで、上側の管支持具１０の下側支持部１３と下側の管支持具２０の上側支持部２２とは、管路を支持した状態で相互に嵌合するように構成されている。すなわち、上側の管支持具１０および下側の管支持具２０の形状が図１に示された管支持具１の形状と同様である場合には、上側の管支持具１０の上側支持部１２の形状と下側支持部１３の形状とは、互いに嵌合可能な形状となっており、下側の管支持具２０の上側支持部２２の形状と下側支持部１３の形状とは、互いに嵌合可能な形状となっている。
【００２９】
また、図１に示された管支持具１は、様々な形状の管路を支持することが可能である。図３は、第１例の管支持具を用いて管路を支持している状態の一例を概略的に示す側面図であって、（イ）は直管型の管路を支持している状態、（ロ）は独立波型の波付管路を支持している状態、（ハ）はらせん波型の波付管路を支持している状態をそれぞれ示す。なお、図３（イ）〜（ハ）において、管支持具１についての詳細な説明は省略する。
【００３０】
図３（イ）〜（ハ）において、３１は直管型管路、３２は独立波型波付管路、３３はらせん波型波付管路であって、独立波型波付管路３２には突条部３２ａおよび溝部３２ｂが形成され、らせん波型波付管路３３には突条部３３ａおよび溝部３３ｂが形成されている。そして、管支持具１の上側支持具１２は、直管型管路３１、独立波型波付管路３２、らせん波型波付管路３３のそれぞれ半周を超えて支持することができるように形成されている。このため、図１に例示された第１例の管支持具１は、図２に示されるように管路の長手方向のほぼ同じ位置で多段支持が可能となり、また図３に示されるように、管路を十分に支持でき、かつ作業性に優れた管支持具となる。
【００３１】
次に、本発明の実施形態である管支持具の第２例について説明する。図４は、本発明の実施形態である管支持具の第２例を示す概略説明図であって、（イ）は正面図、（ロ）は側面図をそれぞれ示す。
【００３２】
図４において、管支持具４は、本体部４１と、本体部４１の上側に配置された上側支持部４２と、本体部４１の下側に配置された下側支持部４３とを備えている。上側支持部４２および下側支持部４３は、ともに管路の半周を超えて支持し、上側支持部４２の内周面４２ａおよび下側支持部４３の内周面４３ａは実質的に円弧状となっている。
【００３３】
さらに、上側支持部４２および下側支持部４３は、管路を支持した状態で、上側支持部４２または下側支持部４３の外周面と、上下方向に隣接する管支持具の対向側の支持部の内周面とが重なり合うように構成されている。ここで、「対向側の支持部」とは、例えば上側支持部４２については上下方向に隣接する管支持具の下側支持部を意味する。具体的には、図４に示されるように、下側支持部４３の外周面４３ｂと、上側支持部４２の内周面４２ａとが重なり合うような構造などが挙げられる。
【００３４】
また、図４において、本体部４１には、隣接する管支持具同士を一体的に結合するための結合部として、突起部４４および凹部４５が設けられている。突起部４４は隣接する管支持具の凹部と結合し、凹部４５は隣接する管支持具の突起部と結合することにより、複数列の管路を同時に支持することが可能となる。
【００３５】
この管支持具４を管路に装着する場合には、前述の第１例の管支持具１と同様、上側支持部４２や下側支持部４３の先端を一時的に拡張して管路を通過させ、その後弾性によりもとの形状に復帰するため、管路を十分に支持できるようになっている。なお、上側支持部４２および下側支持部４３に適度な弾性を付与する観点から、管支持具１のうち少なくとも上側支持部４２および下側支持部４３は合成樹脂などで構成されることが望ましい。
【００３６】
また、上述の管支持具４は、前述の第１例の管支持具１と同様、複数段に重ねて使用することができる。図５は、第２例の管支持具を複数段に重ねた状態の一例を示す概略説明図であって、（イ）は正面図、（ロ）は側面図をそれぞれ示す。図５は、上側の管支持具４０と下側の管支持具５０とを重ねた状態を示しており、上側の管支持具４０の形状および下側の管支持具５０の形状は、図４に示された管支持具４の形状と同様である。なお、図５において、上側の管支持具４０の形状と下側の管支持具５０の形状とは一致している必要はない。
【００３７】
図５において、上側支持部４２および下側支持部４３は、上側の管支持具４０と下側の管支持具５０を重ねた際に、上側の管支持具４の下側支持部４３の一方の外周面４３ｂと、下側の管支持具５の上側支持部５２の内周面５２ａとが重なり合うように構成されている。
【００３８】
また、図４に示された管支持具４は、特に波付管路を支持するために好適な形状を有する。図６は、第２例の管支持具を用いて独立波型の波付管路を支持している状態の一例を概略的に示す側面図である。なお、図６において、管支持具４についての詳細な説明は省略する。
【００３９】
図６において、３２は独立波型波付管路であって、突条部３２ａおよび溝部３２ｂが形成されている。そして、管支持具４の下側支持具４３は、溝部３２ｂに沿って独立波型波付管路３２の半周を超えて支持することができるように形成されている。
【００４０】
このため、図４に示された管支持具４は、図５に示されるように管路の長手方向のほぼ同じ位置で多段支持が可能となり、および図３に示されるように、管路を十分に支持でき、かつ作業性に優れた管支持具となる。
【００４１】
また、本発明の実施形態である管支持具の第２例は、らせん波型波付管路にも適用することができる。図７は、第２例の管支持具の下側支持部をらせん波型波付管路に適合させた例を概略的に示す図であり、（イ）は管支持具の側面図、（ロ）はらせん波型の波付管路を支持している状態の一例をそれぞれ示す。
【００４２】
図７（イ）において、管支持具７は、本体部７１と、本体部７１の上側に配置された上側支持部７２と、本体部７１の下側に配置された下側支持部７３とを備えている。上側支持部７２および下側支持部７３は、ともに管路の半周を超えて支持し、上側支持部７２の内周面（図示せず）および下側支持部７３の内周面７３ａは実質的に円弧状となっている。また、下側支持部７３は、らせん波型の波付管路の溝部の形状に適合するらせん形状を有する。
【００４３】
図７（ロ）において、３３は独立波型波付管路であって、突条部３３ａおよび溝部３３ｂが形成されている。そして、管支持具７の下側支持具７３は、溝部３３ｂに沿ってらせん波型波付管路３３の半周を超えて支持することができるように形成されている。
【００４４】
このため、図４に例示された第２例の管支持具４は、図５に示されるように管路の長手方向のほぼ同じ位置で多段支持が可能となり、および図３に示されるように、管路を十分に支持でき、かつ作業性に優れた管支持具となる。図７に例示された管支持具７についても同様の効果が発揮される。
【００４５】
次に、本発明の実施形態は、前述の第１例および第２例に適用される変形例を有する。図８は、本発明の実施形態である管支持具の第１変形例を示す概略説明図であって、（イ）は正面図、（ロ）は側面図をそれぞれ示す。
【００４６】
図８において、管支持具８は、本体部８１と、本体部８１の上側に配置された上側支持部８２と、本体部８１の下側に配置された下側支持部８３とを備えている。上側支持部８２および下側支持部８３は、ともに管路の半周を超えて支持し、上側支持部８２の内周面８２ａおよび下側支持部８３の内周面８３ａは実質的に円弧状となっている。
【００４７】
また、上側支持部８２および下側支持部８３は、管支持具を複数段に重ねた際に、管路を支持した状態で上下方向に隣接する管支持具と管路の長手方向のほぼ同じ位置で重ねることができるように構成されている。さらに、本体部８１には、隣接する管支持具同士を一体的に結合するための結合部として、突起部８４および凹部８５が設けられている。
【００４８】
ここで、図８に示された管支持具８が、先に例示した各管支持具１、４、７などと異なる点は、上側支持部８２の円周面８２ａの内径と、下側支持部８３の内周面８３ａの内径とが異なっている点である。このような管支持具８は、管支持具８の上下に配置される管路の外径が異なるときに好適に用いられ、さらに先に例示した各管支持具１、４、７などと同様の作用を奏する。
【００４９】
次に、本発明の実施形態の第２変形例を説明する。図９は、本発明の実施形態である管支持具の第２変形例を示す概略説明図であって、（イ）は正面図、（ロ）は側面図をそれぞれ示す。この変形例は、前述の第１例の管支持具１に好適に用いられる。
【００５０】
図９において、管支持具９は、本体部９１と、本体部９１の上側に配置された上側支持部９２と、本体部９２の下側に配置された下側支持部９３とを備えている。上側支持部９２および下側支持部９３は、ともに管路の半周を超えて支持し、上側支持部９２の内周面９２ａおよび下側支持部９３の内周面９３ａは実質的に円弧状となっている。
【００５１】
また、上側支持部９２および下側支持部９３は、管支持具を複数段に重ねた際に、管路を支持した状態で上下方向に隣接する管支持具と管路の長手方向のほぼ同じ位置で重ねることができるように構成されている。さらに、本体部９１には、隣接する管支持具同士を一体的に結合するための結合部として、突起部９４および凹部９５が設けられている。
【００５２】
ここで、図９に示された管支持具９が、先に例示した各管支持具１、４、７などと異なる点は、上側支持部９２または下側支持部９３の少なくとも一方の先端に、管路を支持した際にほぼ水平面となる平面部９６が形成されている点である。図９においては、上側支持部９２の先端部に平面部９６が形成されている例を示しているが、本実施形態の範囲は図９に例示される形態には限られない。
【００５３】
図９に例示された管支持具９は、平面部９６と、管支持具９の上下に配置される管支持具の本体部との接触面積が増えるため、管路の支持状態が安定し、さらに図１に例示された第１例の管支持具１と同様の作用を奏する。
【００５４】
以上、本発明の実施形態である管支持具について、実例を挙げて説明したが、本発明の実施形態は上述したものに限られない。例えば、前述の第１例または第２例の特徴と、第１変形例または第２変形例の特徴をあわせ持った管支持具なども、本発明の実施形態に含まれることはいうまでもない。
【００５５】
また、本発明の実施形態である管支持具を用いて、管路を支持する管支持構造の改良を図ることもできる。以下、本発明の実施形態である管支持構造について説明する。
【００５６】
図１０は、本発明の実施形態である管支持構造の第１例を示す概略説明図であって、（イ）は正面図、（ロ）は側面図をそれぞれ示す。図１０に例示された管支持構造は、５本の管路を２列に配置し、一方の列を３段、他方の列を２段に重ねた場合を示している。
【００５７】
図１０において、管支持構造１００は、例えば図１に示された第１例の管支持具１を用いて構成されるが、第２例の管支持具４などを用いて構成してもよい。この管支持構造１００は、管路１０１ａ、１０１ｂ、１０１ｃが上から順に３段に支持され、その横に管路１０１ｄ、１０１ｅが上から順に２段に支持されている管支持構造である。
【００５８】
この管支持構造１００は、管路１０１ａと管路１０１ｂとの間に管支持具１ｘが配置され、管路１０１ｂと管路１０１ｃとの間に管支持具１ｙが配置され、管路１０１ｄと管路４１ｅとの間に管支持具１ｚが配置されている。なお、管支持具１ｘ、１ｙ、１ｚの構成については、図１に例示した第１例の管支持具１と同様のため、説明を省略する。
【００５９】
ここで、管支持具１ｘと管支持具１ｙは、管路１０１ｂを支持した状態で、上側に位置した管支持具１ｘの下側支持部１３ｘと、下側に位置した管支持具１ｙの上側支持部１２ｙとが、結合部１０２において嵌合状態になっている。このため、図１０に示された管支持構造１００は、管路の長手方向のほぼ同じ位置で管路１０１ａ、１０１ｂ、１０１ｃを十分に支持でき、かつ管支持構造を構成する際の作業性に優れた構造となる。
【００６０】
また、図１０に示された管支持構造１００は、隣接する管支持具１ｙ、１ｚが結合部１０３により連結されている。この結合部１０３は、管支持具１ｙの凹部５ｙと、管支持具１ｚの突起部４ｚとが結合している部分である。このため、図１０に示された管支持構造１００は、管路の長手方向のほぼ同じ位置で管路１０１ａ〜１０１ｅを十分に支持でき、かつ管支持構造を構成する際の作業性に優れた構造となる。
【００６１】
なお、本発明の実施形態である管支持構造は、管支持構造を構成する管路の太さが異なる場合や波付管路を用いた場合などであっても、好適に構成することができる。以下、その一例を説明する。
【００６２】
図１１は、本発明の実施形態である管支持構造の第２例を示す概略説明図であって、（イ）は正面図、（ロ）は側面図をそれぞれ示す。図１１に例示された管支持構造は、５本の管路を２列に配置し、一方の列を３段、他方の列を２段に重ねた場合を示している。また、管路として独立波型波付管路を用いた例を示している。なお、管路の種類は独立波型波付管路に限らず、らせん波型波付管路であっても直管型管路であってもよい。
【００６３】
図１１において、管支持構造１１０は、例えば図４に例示された第２例の管支持具４などを用いて構成されるが、第１例の管支持具１などを用いて構成してもよい。この管支持構造１１０は、管路１１１ａ、１１１ｂ、１１１ｃが上から順に３段に支持され、その横に管路１１１ｄ、１１１ｅが上から順に２段に支持されている管支持構造である。また、管路１１１ａ、１１１ｂの外径は、他の管路１１１ｃ、１１１ｄ、１１１ｅの外径より小さくなっている。
【００６４】
この管支持構造１１０は、管路１１１ａと管路１１１ｂとの間に管支持具４ｘが配置され、管路１１１ｂと管路１１１ｃとの間に管支持具４ｙが配置され、管路１１１ｄと管路１１１ｅとの間に管支持具４ｚが配置されている。なお、管支持具４ｘ、４ｚの構成については、図４に例示した管支持具４とほぼ同様であり、管支持具４ｙの構成については、図４に例示した管支持具４に変形例として図８に例示した第１変形例の管支持具８の構成を適用した構成とほぼ同様のため、それぞれ説明を省略する。
【００６５】
ここで、管支持具４ｘと管支持具４ｙは、管路１１１ｂを支持した状態で、結合部１１２において上側に位置した管支持具４ｘの下側支持部４３ｘの外周面が、下側に位置した管支持具４ｙの上側支持部４２ｙの内周面に重なり合った状態となっている。このため、図１１に示された管支持構造１１０は、管路の長手方向のほぼ同じ位置で管路１１１ａ、１１１ｂ、１１１ｃを十分に支持でき、かつ管支持構造を構成する際の作業性に優れた構造となる。
【００６６】
また、図１１に示された管支持構造１１０は、隣接する管支持具４ｙ、４ｚが結合部１１３により連結されている。この結合部１１３は、管支持具４ｚの突起部４４ｚと、管支持具４ｙの凹部４５ｙとが結合している部分である。このため、図１１に示された管支持構造１１０は、管路の長手方向のほぼ同じ位置で管路１１１ａ〜１１１ｅを十分に支持でき、かつ管支持構造を構成する際の作業性に優れた構造となる。
【００６７】
以上、本発明の実施形態である管支持具を用いた管支持構造について、実例を挙げて説明したが、本発明の実施形態は上述したものに限られない。
【図面の簡単な説明】
【００６８】
【図１】本発明の実施形態である管支持具の第１例を示す概略説明図であって、（イ）は正面図、（ロ）は側面図をそれぞれ示す。
【図２】第１例の管支持具を複数段に重ねた状態の一例を示す概略説明図であって、（イ）は正面図、（ロ）は側面図をそれぞれ示す。
【図３】第１例の管支持具を用いて管路を支持している状態の一例を概略的に示す側面図であって、（イ）は直管型の管路を支持している状態、（ロ）は独立波型の波付管路を支持している状態、（ハ）はらせん波型の波付管路を支持している状態をそれぞれ示す。
【図４】本発明の実施形態である管支持具の第２例を示す概略説明図であって、（イ）は正面図、（ロ）は側面図をそれぞれ示す。
【図５】第２例の管支持具を複数段に重ねた状態の一例を示す概略説明図であって、（イ）は正面図、（ロ）は側面図をそれぞれ示す。
【図６】第２例の管支持具を用いて独立波型の波付管路を支持している状態の一例を概略的に示す側面図である。
【図７】第２例の管支持具の下側支持部をらせん波型波付管路に適合させた例を概略的に示す図であり、（イ）は管支持具の側面図、（ロ）はらせん波型の波付管路を支持している状態の一例をそれぞれ示す。
【図８】本発明の実施形態である管支持具の第１変形例を示す概略説明図であって、（イ）は正面図、（ロ）は側面図をそれぞれ示す。
【図９】本発明の実施形態である管支持具の第２変形例を示す概略説明図であって、（イ）は正面図、（ロ）は側面図をそれぞれ示す。
【図１０】本発明の実施形態である管支持構造の第１例を示す概略説明図であって、（イ）は正面図、（ロ）は側面図をそれぞれ示す。
【図１１】本発明の実施形態である管支持構造の第２例を示す概略説明図であって、（イ）は正面図、（ロ）は側面図をそれぞれ示す。
【符号の説明】
【００６９】
１、１ｘ〜１ｚ、２、４、４ｘ〜４ｚ、５、７、８、９  管支持具
１１、１１ｘ〜１１ｚ、２１、４１、４１ｘ〜４１ｚ、５１、７１、８１、９１  本体部
１２、１２ｘ〜１２ｚ、２２、４２、４２ｘ〜４２ｚ、５２、７２、８２、９２  上側支持部
１２ａ、２２ａ、４２ａ、５２ａ、７２ａ、８２ａ、９２ａ  上側支持部の内周面
１３、１３ｘ〜１３ｚ、２３、４３、４３ｘ〜４３ｚ、５３、７３、８３、９３  下側支持部
１３ａ、２３ａ、４３ａ、５３ａ、７３ａ、８３ａ、９３ａ  下側支持部の内周面
１３ｂ、２３ｂ、８３ｂ、９３ｂ  下側支持部の切り欠き部
４３ｂ、５３ｂ  下側支持部の外周面
１４、１４ｘ〜１４ｚ、２４、４４、４４ｘ〜４４ｚ、５４、７４、８４、９４  突起部
１５、１５ｘ〜１５ｚ、２５、４５、４５ｘ〜４５ｚ、５５、７５、８５、９５  凹部
３１  直管型管路
３２  独立波型波付管路
３２ａ、３３ａ  突条部
３２ｂ、３３ｂ  溝部
３３  らせん波型波付管路
１００、１１０  管支持構造
１０１ａ〜１０１ｅ、１１１ａ〜１１１ｅ  管路
１０２、１０３、１１２、１１３  結合部
【図１】
2005069359.tif 000003
【図２】
2005069359.tif 000004
【図３】
2005069359.tif 000005
【図４】
2005069359.tif 000006
【図５】
2005069359.tif 000007
【図６】
2005069359.tif 000008
【図７】
2005069359.tif 000009
【図８】
2005069359.tif 000010
【図９】
2005069359.tif 000011
【図１０】
2005069359.tif 000012
【図１１】
2005069359.tif 000013